(57)【要約】【課題】  周囲環境が暗い場合でも、表示部の表示内容を明瞭に確認できるようにして視認性を高め、しかも、照明部を点灯操作させるための機能をキー操作部に割り当てる必要がない無線機を提供する。【解決手段】  種別の異なる複数の情報を受信する受信手段と、受信した情報の種別を判別する受信情報判別手段と、受信した情報を表示するために使用される表示部５と、この表示部５を照明するための照明部６とを備えた無線機Ａにおいて、照明部６を受信情報の種別に基づき自動点灯させる照明制御手段を備える。また、この照明制御手段は、表示部５による文字情報の表示期間中、表示部５を照明部６により照明させる。【選択図】  図１
2006080613.tif 000002
【特許請求の範囲】
【請求項１】
種別の異なる複数の情報を受信する受信手段と、
受信した情報の種別を判別する受信情報判別手段と、
受信した情報を表示するために使用される表示手段と、
前記表示手段を照明するための照明手段と
を備えた無線機において、
前記照明手段を受信情報の種別に基づき自動点灯させる照明制御手段を備えたことを特徴とする無線機。
【請求項２】
文字情報と音声情報とを受信する受信手段と、
受信した情報の種別が文字情報か音声情報かを判別する受信情報判別手段と、
受信した文字情報を表示するために使用される表示手段と、
前記表示手段を照明するための照明手段と
を備えた無線機において、
前記表示手段による文字情報の表示動作に連動させて前記照明手段を自動点灯させる照明制御手段を備えたことを特徴とする無線機。
【請求項３】
前記照明制御手段は、前記表示手段による文字情報の表示期間中、前記表示手段を前記照明手段により照明させるように構成したことを特徴とする請求項１または２記載の無線機。
【発明の詳細な説明】
【技術分野】
【０００１】
本発明は、種別の異なる複数の情報を受信して表示部へ表示あるいはスピーカから音声として再生出力させる無線機に係るもので、特に、受信情報を表示させるために使用される表示部に自動照明点灯機能を備えた無線機に関する。
【背景技術】
【０００２】
従来、通信端末装置において、種別の異なる複数の情報、例えば、文字情報と音声情報とを受信する受信手段を備え、受信した文字情報を表示部で表示し、あるいは受信した音声情報をスピーカから音声として再生出力して聴取可能に構成したものが知られている。（例えば、特許文献１参照）
【０００３】
また、従来の携帯無線機には、各種の機能設定や機能選択をするために操作される操作スイッチを備えたものがある。この操作スイッチにより所定機能を選択操作すると、表示部は、操作に従った機能表示を行うとともに、暗い周囲環境下で使用者による操作スイッチの操作があったときには、表示部を照明して表示内容を明確にできるように構成したものが提案されている。(例えば、特許文献２参照)
【０００４】
さらに、従来の無線機には、あらかじめ固有の機能が割り当てられている複数の機能キーを含むキー操作部と、このキー操作部のいずれかが押し下げ操作または他の機能キーとの組み合わせ、あるいは順序押し下げ等の機能キーの操作に応じた制御動作を実行する制御部と、音声または視覚による表示部とを備えたものが提案されている。（例えば、特許文献３参照）
【０００５】
【特許文献１】特開２０００−１５１８２８号公報（第２―４頁、第５図）
【特許文献２】特許第３０８８２９９号公報（第１−４頁、第３図）
【特許文献３】特開平１１−８８４９０号公報（第２−５頁、第１図）
【発明の開示】
【発明が解決しようとする課題】
【０００６】
従来の無線機にあっては、上述したように、複数ある機能の中から無線機へ付加させたい機能をキー操作部の各操作キーへプログラム設定して割り当て、所望の機能を実行させるように構成している。
【０００７】
例えば、相手局から送信されてきた文字情報を受信して表示部へ表示させる機能を使用する場合、夜間の照明がない場所等の暗い場所でも、表示部の表示内容を明瞭に確認できるようにして視認性を高めるようにするため、操作キーの１つに照明部を点灯・消灯動作させる機能を割り当てる必要があった。
【０００８】
ところが、最近の無線機に付加される機能は、少なくなく、一方、無線機に設けられている操作キーの数には限りがあるため、表示部の照明機能用として１つの操作キーを割り当てると、残りの操作キーの数内で数多くある機能を選択し、付加すべき機能の割り当てを行う必要があった。したがって、付加したい機能数が操作キーへプログラム設定できる数よりも多い場合は、付加をあきらめざるを得ない機能もあった。
【０００９】
また、上記のようにして割り当てた表示部の照明機能も、周囲環境が暗く照明を必要とする度に使用者がキー操作を行う必要があり、照明を点灯させる操作を行う煩わしさがあった。
【００１０】
本発明は、従来の技術が有するこのような問題点に鑑みてなされたものであって、その目的とするところは、周囲環境が暗い場合でも、表示手段の表示内容を明瞭に確認できるようにして視認性を高め、しかも、照明手段を点灯操作させるための機能をキー操作部に割り当てる必要のない無線機を提供しようとするものである。
【課題を解決するための手段】
【００１１】
上記の目的を達成するために、本発明の無線機においては、種別の異なる複数の情報を受信する受信手段と、受信した情報の種別を判別する受信情報判別手段と、受信した情報を表示するために使用される表示手段と、この表示手段を照明するための照明手段とを備えた無線機において、上記照明手段を受信情報の種別に基づき自動点灯させる照明制御手段を備えたものである。
【００１２】
また、第２の課題解決手段は、文字情報と音声情報とを受信する受信手段と、受信した情報の種別が文字情報か音声情報かを判別する受信情報判別手段と、受信した情報を表示するために使用される表示手段と、この表示手段を照明するための照明手段とを備えた無線機において、上記表示手段による文字情報の表示動作に連動させて上記照明手段を自動点灯させる照明制御手段を備えたものである。
【００１３】
また、上記照明制御手段は、表示手段による文字情報の表示期間中、表示手段を照明手段により照明させるように構成することが効果的である。
【発明の効果】
【００１４】
上述したように、本発明の無線機は、受信した情報の種別に基づき表示手段の照明を自動点灯させる照明制御手段を備えたことにより、使用者がその都度キー操作を行う煩わしさを解消することができるとともに、周囲環境が暗い場合でも、表示手段の表示内容を明瞭に確認することができ、視認性を高めることができる。しかも、照明手段を自動点灯させるための機能をキー操作部に割り当てる必要がなくなり、他に使用したい機能をキー操作部へ割り当てることができる。この結果、付加したい機能を増やすことができるという効果が得られる。
【発明を実施するための最良の形態】
【００１５】
以下、本発明に係る無線機の実施の形態を図面に基づいて説明する。
図１は、本発明に係る無線機の一実施例を示すブロック図、図２は、図１の制御回路の制御手順および制御内容を示すフローチャートである。
【００１６】
図１において、無線機Ａは、種別の異なる文字情報と音声情報とを送受信できるように構成したものであって、復調回路３にＭＳＫ変調方式のモデムを使用し、使用者が相手局（図示しない）の表示部へ文字情報を表示させたいときは、相手局のＩＤコード（個別呼び出し番号符号）と、表示させたい文字情報とをキー操作部１０を操作して入力し、送受信回路２で変調して、アンテナ１を通じて送信するように構成されている。また、使用者が音声通信を行ないたいときは、キー操作部１０を操作して入力したＩＤコードと、ＰＴＴスイッチ９の操作に基づくマイクロホン７からの音声信号入力とを送受信回路２で変調し、アンテナ１を通じて相手局へ送信するように構成されている。
【００１７】
また、相手局から送信されてきた文字情報または音声情報は、アンテナ１を介して送受信回路２で受信されたのち、復調回路３で復調され、無線機全体を制御する制御回路（ＣＰＵ）４へ導入される。この制御回路４では、受信データ中に含まれるＩＤコードと、予め無線機（自局）Ａに記憶してあるＩＤコードとが照合される。
【００１８】
このＩＤコード照合の結果、両ＩＤコードが一致すると、制御回路４は無線機（自局）Ａへ呼び出しが発生したものと判断して、制御回路４からスピーカ８へ鳴音信号が供給され、スピーカ８は鳴音を再生出力して、使用者へ呼び出しがあったことを報知することができるように構成されている。
【００１９】
また、このＩＤコード照合の結果、両ＩＤコードが一致し、かつ液晶表示器（ＬＣＤ）などで構成される表示部５へ表示させる文字情報がない場合、制御回路４は、音声通信とみなして、スピーカ８をオン状態にし、相手局から送られてきた音声情報を再生出力して、使用者が聴取することができるように構成されている。一方、受信データ中に、自局のＩＤコードと一致するＩＤコードと文字情報とが含まれている場合、制御回路４は、受信した情報が文字情報であるとみなして、受信した文字情報データに基づき、表示部５に文字情報を表示することができるように構成されている。このように、無線機Ａは、文字情報と音声情報の２通りの通信を使い分けて運用することができるように構成されている。
【００２０】
本発明は、上記のように構成した無線機Ａにおいて、文字情報を受信したときの制御方法を改善し、表示部５による文字情報の表示動作に連動させて照明部６を自動点灯させるように構成したことを特長とするものである。
【００２１】
すなわち、上記の無線機Ａは、制御回路４で受信データをチェックし、送信された情報の種別が文字情報か、あるいは音声情報かを判別している。制御回路４は、この判別の結果、相手局から送信されてきた情報が文字情報とみなしたときは、表示部５に受信した文字情報を表示させるとともに、表示部５に接近させて設けたランプ等からなる照明部６を自動点灯させるように構成されている。また、この照明部６による表示部５を照明する期間は、表示部５の文字情報の表示期間中連続して照明が行われるように構成されている。一方、制御回路４が音声情報の受信とみなしたときは、表示部５の照明は、消灯状態のままとし、音声通話のみの状態となるように構成されている。
【００２２】
次に、以上のように構成された無線機Ａの動作を制御回路４の制御手順に従って説明する。
【００２３】
まず、ステップＳ１では、ＭＳＫ受信データのチェックを実行し、受信した情報の種別を特定する。ステップＳ２において、受信したデータに文字情報が含まれていないとみなされたときは、音声通信と判別し、制御回路４からスピーカ８へ鳴音信号を供給する。この結果、ステップＳ４でスピーカ８から鳴音が再生出力され、これにより、使用者に対して呼び出しが発生したことが報知される。次いで、制御回路４は、ステップＳ５でスピーカ８を駆動可能な状態にして、相手局の音声情報を再生出力し、使用者が聴取可能な状態にする。この時、照明部６は消灯状態ままで、表示部５の照明は行われない。
【００２４】
一方、ステップＳ２で音声通信ではないとみなされたときは、ステップＳ３へ移行し、受信したデータに文字情報が含まれているか否かを判別する。文字情報が含まれていると判別したときは、制御回路４からスピーカ８へ鳴音信号を供給する。この結果、ステップＳ６で、スピーカ８から鳴音が再生出力され、これにより、使用者に対して呼び出しが発生したことが報知される。次いで、ステップＳ７で受信した文字情報データに基づき制御回路４は、表示制御を実行し、表示部５へメッセージ等の文字情報を表示する。使用者は、このスピーカ８から再生出力される鳴音により呼び出し発生を知り、かつ表示部５の表示内容を見ることによって、相手局からのメッセージ等を確認することができる。
【００２５】
また、制御回路４は、スピーカ８による鳴音を発生させる制御に続いて、表示部５の表示動作を制御すると同時に、照明部６を自動点灯させて表示部５を照明することによって、周囲環境が暗い時でも表示部５の表示内容を明瞭に確認することができる。また、この照明部６による表示部５を照明する期間は、表示部５の文字情報の表示期間中連続して照明を行ない、周囲環境が暗い場合でも、表示部５の表示内容を明瞭に確認することができる。
【００２６】
本発明は、以上説明したように、受信した情報の種別に基づき表示部５の照明を自動点灯させる照明制御手段を備えたことにより、使用者がその都度キー操作を行う煩わしさを解消することができるとともに、周囲環境が暗い場合でも、表示部５の表示内容を明瞭に確認することができ、視認性を高めることができる。しかも、照明部６を自動点灯させるための機能をキー操作部に割り当てる必要がなくなり、他に使用したい機能をキー操作部へ割り当てることができる。この結果、付加したい機能を増やすことができるという効果が得られる。また、文字情報に限って表示部５の照明を自動点灯させるので、音声情報および文字情報の如何にかかわらず、受信する度に照明部６を点灯させる場合に比べて、消費電流が少なくすることができる。
【００２７】
なお、上述した実施例においては、復調回路３にＭＳＫ変調方式のモデムを使用した場合の無線機Ａについて説明したが、ＤＴＭＦ（Ｄｕａｌ  Ｔｏｎｅ  Ｍｕｌｔｉ  Ｆｒｅｑｕｅｎｃｙ：二重トーンマルチ周波数）方式のエンコーダ／レシーバを用いた場合も同様の結果を得ることができる。また、上述した表示部５および照明部６の構成や制御回路４による表示部５および照明部６の制御手順および制御内容についても、本発明の要旨を逸脱しない範囲で種々変形して実施することは可能である。
【図面の簡単な説明】
【００２８】
【図１】本発明に係る無線機の実施例の構成を示すブロック図である。
【図２】図１に示した無線機の制御回路による表示制御手順および制御内容を示すフローチャートである。
【符号の説明】
【００２９】
１    アンテナ
２    送受信回路
３    復調回路
４    制御回路
５    表示部
６    照明部
７    マイクロホン
８    スピーカ
９    ＰＴＴスイッチ
１０  キー操作部
【図１】
2006080613.tif 000003
【図２】
2006080613.tif 000004